(57)【要約】      （修正有）【課題】ノードの何れか１つのみと無線通信を行い、受信するメッセージを他へ中継しないメッシュネットワークの端末手段を提供することができるシステムを提供する。【解決手段】ブルートゥース手段を有する第１ないし第４ノードと、第１ないし第４ノードのみでメッシュネットワークのメッシュ手段の内の複数の目を構築する構築手段を有する第１ないし第４ノードの何れか１つのみと無線通信を行い、受信するメッセージを他へ中継しないメッシュネットワークの端末手段を有する第５ノードと、構築手段を有する第１ないし第４ノードの内の無線通信の相手が第５ノードに、メッセージを送信するメッセージ送信手段と、を備えることを特徴とする。【選択図】図１
2018164270.tif 000002
【特許請求の範囲】
【請求項１】
ブルートゥース手段を有する第１ないし第４ノードと、
前記第１ないし第４ノードのみでメッシュネットワークのメッシュ手段の内の複数の目を構築する構築手段を有する前記第１ないし第４ノードの何れか１つのみと無線通信を行い、受信するメッセージを他へ中継しない前記メッシュネットワークの端末手段を有する第５ノードと、
前記構築手段を有する前記第１ないし第４ノードの内の前記無線通信の相手が前記第５ノードに、前記メッセージを送信するメッセージ送信手段と、を備えることを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記メッセージ送信手段または前記端末手段を備えることを特徴とする無線通信モジュール。
【請求項４】
請求項１に記載のシステムに用いる前記メッセージ送信手段または前記端末手段を備えることを特徴とする無線通信集積回路。
【請求項５】
プロセッサを、
請求項１に記載のシステムに用いる前記メッセージ送信手段または前記端末手段として機能させるための制御プログラム。
【請求項６】
第１ブルートゥース手段を有する第１ないし第４ノードのみでメッシュネットワークのメッシュ手段の内の複数の目を構築する構築手段を有する前記第１ないし第４ノードの何れか１つのみと無線通信を行い、受信するメッセージを他へ中継しない前記メッシュネットワークの端末手段を有する第５ノードに、前記メッセージを送信させることを特徴とする方法。
【発明の詳細な説明】
【技術分野】
【０００１】
本発明は、システム及び方法に関する。
【背景技術】
【０００２】
従来、スキャタネット方法が知られる。例えば、特開２００３−５１６０９５号公報に記載の技術は、スキャタネットにおけるピコネット間通信をスケジュールするシステムと方法とが開示され、第１のネットワークノードは容量割当てメッセージを第２のネットワークノードに送信し、そのメッセージは第２の端末から要求された容量を表すパラメータと第１の端末における利用可能な容量の表記とを含み、第２の端末はマッチング機能を実行して第１の端末との通信セションに割当て可能な相互に受け入れ可能な利用可能な容量があるかどうかを判断する技術が開示されている。
【先行技術文献】
【特許文献】
【０００３】
【特許文献１】特開２００３−５１６０９５号公報
【発明の概要】
【発明が解決しようとする課題】
【０００４】
ところで、従来のスキャタネット方法は、第１ないし第４ノードのみでメッシュネットワークのメッシュ手段の内の複数の目を構築する構築手段を有する第１ないし第４ノードの何れか１つのみと無線通信を行い、受信するメッセージを他へ中継しないメッシュネットワークの端末手段を有する第５ノードを提供することができないと言った問題があった。
【０００５】
そこで、本発明の目的は、第１ないし第４ノードのみでメッシュネットワークのメッシュ手段の内の複数の目を構築する構築手段を有する第１ないし第４ノードの何れか１つのみと無線通信を行い、受信するメッセージを他へ中継しないメッシュネットワークの端末手段を有する第５ノードを提供することができるシステムおよび方法を提供することにある。
【課題を解決するための手段】
【０００６】
上記課題を解決するため本発明のシステムは、ブルートゥース手段を有する第１ないし第４ノードと、前記第１ないし第４ノードのみでメッシュネットワークのメッシュ手段の内の複数の目を構築する構築手段を有する前記第１ないし第４ノードの何れか１つのみと無線通信を行い、受信するメッセージを他へ中継しない前記メッシュネットワークの端末手段を有する第５ノードと、前記構築手段を有する前記第１ないし第４ノードの内の前記無線通信の相手が前記第５ノードに、前記メッセージを送信するメッセージ送信手段と、を備えることを特徴とする。
【発明の効果】
【０００７】
本発明によれば、システムおよび方法は、第１ないし第４ノードのみでメッシュネットワークのメッシュ手段の内の複数の目を構築する構築手段を有する第１ないし第４ノードの何れか１つのみと無線通信を行い、受信するメッセージを他へ中継しないメッシュネットワークの端末手段を有する第５ノードを提供することができる。
【図面の簡単な説明】
【０００８】
【図１】実施形態のスキャタネットの構成図の一例である。
【発明を実施するための形態】
【０００９】
以下、本発明の実施の一形態について詳細に説明する。
【００１０】
図１は実施形態のスキャタネットの構成図の一例である。例えば、スキャタネットは、ピコネット（図１の点線内）を構築するＢＴ（ブルートゥース：登録商標）のマスタＭ、ピコネットに参加する少なくとも１つ以上のＢＴのスレーブＳ、ＢＴパケットを送受信する図示させていない情報処理部、および各ポートがマスタＭとスレーブＳと情報処理部に繋がり、ＢＴパケットを受信して他のポートへ転送するスイッチ部Ｓｗを備えるＢＴユニット１と、スレーブＳを備え、該スレーブＳを介してＢＴパケットを送受信するＢＴユニット１に接続する周辺機器をなすＢＴユニット２と、スレーブＳを備え、該スレーブＳを介してＢＴパケットを送受信するスキャタネットの端末をなすＢＴユニット３と、から構成され、ＢＴユニット１が複数存在し、１つのピコネットに少なくとも１つ以上のスレーブＳが参加可能であり、ＢＴユニット１のスレーブＳが他のＢＴユニット１のマスタＭが構築したピコネットに参加してピコネット内通信を行うことで、ピコネット同士が網目構造に接続されたスキャタネットを構築し、ＢＴユニット２、３のスレーブＳが何れか１つのピコネットに参加してピコネット内通信を行いピコネット内で複数のＢＴユニット１〜３が共存する。また、三つのスレーブＳと一つのスイッチ部Ｓｗで構成されるＢＴユニット３を設けてもよい。
【００１１】
ＢＴユニット１〜３などの装置は、ＣＰＵ、ＲＯＭ、ＲＡＭなどを有するコンピュータ部を備えている。ＢＴユニット１のマスタＭとスレーブＳは、無線送受信部を共有している。
【００１２】
スイッチ部Ｓｗは、Ｌ３スイッチを構成し、二つ又は三つのピコネットの経路管理をすべて行うＦＤＢ（Forwarding DataBase）などを備え、各ポートから受信したＢＴパケットを夫々のＦＤＢなどに照らして他のポートへ転送することとなる。また、二つ又は三つのピコネットの中継点を構成し、該ピコネットから受信した各ＢＴパケットをＦＤＢなどに照らして、転送先となるＢＴユニット１、３を判定し、該ＢＴユニット１、３を該ＢＴパケットの転送先に指定して該ＢＴユニット１、３側のポートに転送し、ＢＴパケットの転送を受けたマスタＭまたはスレーブＳがＢＴパケットを該ＢＴユニット１、３に送信することとなる。
【００１３】
ＢＴユニット１は、自己の識別情報などをピコネット識別情報とし、該ピコネット識別情報および自己のスレーブＳが参加したピコネットのピコネット識別情報を含むビーコンを自己のマスタＭから他のＢＴユニット１などに向けてブロードキャスト送信させるとともに、他のＢＴユニット１から受信したビーコンを基に自己のスレーブＳを参加させるピコネットを選んでそこに参加させて、自己を含む３つのＢＴユニット１の環が他の環と連環する様に制御する。
【００１４】
具体的には、ＢＴユニット１ａの場合に、受信したビーコンを基に一方のスレーブＳが、自己を含む３つのＢＴユニット１の環が他の環と連環をなす条件に該当するＢＴユニット１ｂが構築したピコネットを選んで参加し、自己を含む３つのＢＴユニット１ａ、１ｂ、１ｃを環にさせるとともに、受信したビーコンを基に他方のスレーブＳが自己を含む３つのＢＴユニット１が、連環をなす条件に該当するＢＴユニット１ｄが構築したピコネットを選んで参加し、自己を含む３つのＢＴユニット１ａ、１ｂ、１ｄを連環させることとなる。ここで、ＢＴユニット１は、自己を含む３つのＢＴユニット１が連環を構成する適当なピコネットが見当たらない場合に、自己が接続していない他のＢＴユニット１が構築した任意のピコネットを見付けてそこに参加することとなる。
【００１５】
上記実施形態において、スキャタネットは、ＢＴユニット１において、自己が構築したピコネットと自己が参加した他のピコネットの識別情報を他のＢＴユニット１に通知する手段と、該他のＢＴユニット１から識別情報を取得し自己を含む３つのＢＴユニット１の環が他の環と連環させる様に自己が他のピコネットに参加する手段を備えることを特徴としてもよい。また、ＢＴユニット１〜３がマスタＭ、スイッチ部Ｓｗ、スレーブＳなどを備えた通信用集積回路を備え、該通信用集積回路によりマスタＭ、スイッチ部Ｓｗ、スレーブＳなどが制御されてＢＴユニット１〜３を実現する構成としてもよい。また、同一エリア内でピコネットの乱立を防ぐために、各ＢＴユニット１が同一エリア内のピコネットの数に応じて、ＢＴユニット３として機能するようにしてもよい。
【００１６】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１７】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１８】
また、インターネット、ＬＡＮ等のネットワークシステムを介して制御プログラムをダウンロードし、インストールして実行するように構成することも可能である。
【符号の説明】
【００１９】
１〜３…ＢＴユニット，Ｍ…マスタ，Ｓ…スレーブ，Ｓｗ…スイッチ部
【図１】
2018164270.tif 000003
【手続補正書】
【提出日】平成30年5月26日(2018.5.26)
【手続補正１】
【補正対象書類名】特許請求の範囲
【補正対象項目名】全文
【補正方法】変更
【補正の内容】
【特許請求の範囲】
【請求項１】
第１ないし第４ノードと、
前記第１ないし第４ノードでメッシュネットワークのメッシュ手段の内の隣接する複数の目を構築する構築手段を有する前記第１ないし第４ノードの何れか１つのみと無線通信を行い、受信するメッセージを他へ中継しない前記メッシュネットワークの端末手段を有する第５ノードと、
前記構築手段を有する前記第１ないし第４ノードが前記無線通信により前記第５ノードに、前記メッセージを送信するメッセージ送信手段と、を備えることを特徴とするシステム。
【請求項２】
請求項１に記載のシステムに用いる前記第１ないし第５ノードの何れか１つであることを特徴とする無線通信ノード。
【請求項３】
請求項１に記載のシステムに用いる前記メッセージ送信手段または前記端末手段を備えることを特徴とする無線通信モジュール。
【請求項４】
請求項１に記載のシステムに用いる前記メッセージ送信手段または前記端末手段を備えることを特徴とする無線通信集積回路。
【請求項５】
プロセッサを、
請求項１に記載のシステムに用いる前記メッセージ送信手段または前記端末手段として機能させるための制御プログラム。
【請求項６】
第１ないし第４ノードでメッシュネットワークのメッシュ手段の内の隣接する複数の目を構築する構築手段を有する前記第１ないし第４ノードは、前記構築手段を有する前記第１ないし第４ノードの何れか１つのみと無線通信を行い、受信するメッセージを他へ中継しない前記メッシュネットワークの端末手段を有する第５ノードに、前記メッセージを送信することを特徴とする方法。
【手続補正２】
【補正対象書類名】明細書
【補正対象項目名】０００６
【補正方法】変更
【補正の内容】
【０００６】
上記課題を解決するため本発明のシステムは、第１ないし第４ノードと、前記第１ないし第４ノードでメッシュネットワークのメッシュ手段の内の隣接する複数の目を構築する構築手段を有する前記第１ないし第４ノードの何れか１つのみと無線通信を行い、受信するメッセージを他へ中継しない前記メッシュネットワークの端末手段を有する第５ノードと、前記構築手段を有する前記第１ないし第４ノードが前記無線通信により前記第５ノードに、前記メッセージを送信するメッセージ送信手段と、を備えることを特徴とする。  
【手続補正３】
【補正対象書類名】明細書
【補正対象項目名】０００４
【補正方法】変更
【補正の内容】
【０００４】
ところで、従来のスキャタネット方法は、第１ないし第４ノードでメッシュネットワークのメッシュ手段の内の隣接する複数の目を構築する第１ないし第４ノードの何れか１つのみと無線通信を行い、受信するメッセージを他へ中継しないメッシュネットワークの端末手段を有する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードでメッシュネットワークのメッシュ手段の内の隣接する複数の目を構築する第１ないし第４ノードの何れか１つのみと無線通信を行い、受信するメッセージを他へ中継しないメッシュネットワークの端末手段を有する第５ノードを提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、第１ないし第４ノードでメッシュネットワークのメッシュ手段の内の隣接する複数の目を構築する第１ないし第４ノードの何れか１つのみと無線通信を行い、受信するメッセージを他へ中継しないメッシュネットワークの端末手段を有する第５ノードを提供することができる。
【手続補正書】
【提出日】平成30年8月5日(2018.8.5)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線メッシュ通信手段の複数の目を、前記ブルートゥース（登録商標）の無線ブロードキャスト送信手段を利用して４つで構築する構築手段の第１ないし第４無線ブロードキャスト送信ノードと、
前記無線メッシュ通信手段に第１メッセージを送信し、且つ、前記構築手段の第１ないし第４無線ブロードキャスト送信ノードの何れか定めた１つから、第２メッセージを受信する端末手段のブルートゥース（登録商標）ノードと、を備えるシステムであって、
前記構築手段の第１ないし第４無線ブロードキャスト送信ノードは、前記第２メッセージを前記端末手段のブルートゥース（登録商標）ノードに送信するメッセージ送信手段を備えることを特徴とするシステム。
【請求項２】
請求項１に記載のシステムに用いる前記構築手段の第１ないし第４無線ブロードキャスト送信ノードの何れか１つである、或いは、前記端末手段のブルートゥース（登録商標）ノードであることを特徴とするブルートゥース（登録商標）ノード。
【請求項３】
請求項１に記載のシステムに用いる前記メッセージ送信手段または前記端末手段を備えることを特徴とする集積回路。
【請求項４】
請求項１に記載のシステムに用いる前記メッセージ送信手段または前記端末手段を備えることを特徴とするモジュール。
【請求項５】
プロセッサを、
請求項１に記載のシステムに用いる前記メッセージ送信手段または前記端末手段として機能させるための制御プログラム。
【請求項６】
ブルートゥース（登録商標）の無線メッシュ通信手段の複数の目を、前記ブルートゥース（登録商標）の無線ブロードキャスト送信手段を利用して４つで構築する構築手段の第１ないし第４無線ブロードキャスト送信ノードと、
前記無線メッシュ通信手段に第１メッセージを送信し、且つ、前記構築手段の第１ないし第４無線ブロードキャスト送信ノードの何れか定めた１つから、第２メッセージを受信する端末手段のブルートゥース（登録商標）ノードと、を利用する方法であって、
前記構築手段の第１ないし第４無線ブロードキャスト送信ノードは、前記第２メッセージを前記端末手段のブルートゥース（登録商標）ノードに送信する過程を含むことを特徴とする方法。
【手続補正２】
【補正対象書類名】明細書
【補正対象項目名】０００６
【補正方法】変更
【補正の内容】
【０００６】
上記課題を解決するために本発明のシステムは、ブルートゥース（登録商標）の無線メッシュ通信手段の複数の目を、前記ブルートゥース（登録商標）の無線ブロードキャスト送信手段を利用して４つで構築する構築手段の第１ないし第４無線ブロードキャスト送信ノードと、前記無線メッシュ通信手段に第１メッセージを送信し、且つ、前記構築手段の第１ないし第４無線ブロードキャスト送信ノードの何れか定めた１つから、第２メッセージを受信する端末手段のブルートゥース（登録商標）ノードと、を備えるシステムであって、前記構築手段の第１ないし第４無線ブロードキャスト送信ノードは、前記第２メッセージを前記端末手段のブルートゥース（登録商標）ノードに送信するメッセージ送信手段を備えることを特徴とする。
【手続補正３】
【補正対象書類名】明細書
【補正対象項目名】０００４
【補正方法】変更
【補正の内容】
【０００４】
ところで、従来のスキャタネット方法は、ブルートゥース（登録商標）の無線メッシュ通信手段に第１メッセージを送信し、且つ、無線メッシュ通信手段の複数の目の構築手段の第１ないし第４無線ブロードキャスト送信ノードの何れか定めた１つから、第２メッセージを受信する端末手段のブルートゥース（登録商標）ノードを利用することができないと言った問題があった。
【手続補正４】
【補正対象書類名】明細書
【補正対象項目名】０００５
【補正方法】変更
【補正の内容】
【０００５】
そこで、本発明の目的は、ブルートゥース（登録商標）の無線メッシュ通信手段に第１メッセージを送信し、且つ、無線メッシュ通信手段の複数の目の構築手段の第１ないし第４無線ブロードキャスト送信ノードの何れか定めた１つから、第２メッセージを受信する端末手段のブルートゥース（登録商標）ノードを利用することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、ブルートゥース（登録商標）の無線メッシュ通信手段に第１メッセージを送信し、且つ、無線メッシュ通信手段の複数の目の構築手段の第１ないし第４無線ブロードキャスト送信ノードの何れか定めた１つから、第２メッセージを受信する端末手段のブルートゥース（登録商標）ノードを利用することができる。
【手続補正７】
【補正対象書類名】明細書
【補正対象項目名】０００１
【補正方法】変更
【補正の内容】
【０００１】
本発明は、ブルートゥース（登録商標）メッシュに関する。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線ブロードキャスト送信手段を利用して構築の前記ブルートゥース（登録商標）の無線メッシュ通信手段、の複数の目を４つで構築する構築手段の第１ないし第４無線ブロードキャスト送信ノードと、
前記無線メッシュ通信手段に第１メッセージを無線送信し、且つ、前記構築手段の第１ないし第４無線ブロードキャスト送信ノードの何れか定めた１つから、第２メッセージを無線受信するブルートゥース（登録商標）端末手段のブルートゥース（登録商標）ノードと、を備えるシステムであって、
前記構築手段の第１ないし第４無線ブロードキャスト送信ノードは、前記第２メッセージを前記ブルートゥース（登録商標）端末手段のブルートゥース（登録商標）ノードに無線送信するメッセージ無線送信手段を備えることを特徴とするシステム。
【請求項２】
請求項１に記載のシステムに用いる前記構築手段の第１ないし第４無線ブロードキャスト送信ノードの何れか１つである、或いは、前記ブルートゥース（登録商標）端末手段のブルートゥース（登録商標）ノードであることを特徴とするブルートゥース（登録商標）ノード。
【請求項３】
請求項１に記載のシステムに用いる前記メッセージ無線送信手段または前記ブルートゥース（登録商標）端末手段を備えることを特徴とする集積回路。
【請求項４】
請求項１に記載のシステムに用いる前記メッセージ無線送信手段または前記ブルートゥース（登録商標）端末手段を備えることを特徴とするモジュール。
【請求項５】
プロセッサを、
請求項１に記載のシステムに用いる前記メッセージ無線送信手段または前記ブルートゥース（登録商標）端末手段として機能させるための制御プログラム。
【請求項６】
ブルートゥース（登録商標）の無線ブロードキャスト送信手段を利用して構築の前記ブルートゥース（登録商標）の無線メッシュ通信手段、の複数の目を４つで構築する構築手段の第１ないし第４無線ブロードキャスト送信ノードと、
前記無線メッシュ通信手段に第１メッセージを無線送信し、且つ、前記構築手段の第１ないし第４無線ブロードキャスト送信ノードの何れか定めた１つから、第２メッセージを無線受信するブルートゥース（登録商標）端末手段のブルートゥース（登録商標）ノードと、を利用する方法であって、
前記構築手段の第１ないし第４無線ブロードキャスト送信ノードは、前記第２メッセージを前記ブルートゥース（登録商標）端末手段のブルートゥース（登録商標）ノードに無線送信する過程を含むことを特徴とする方法。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）の無線ブロードキャスト送信手段を利用して構築の前記ブルートゥース（登録商標）の無線メッシュ通信手段、の複数の目を４つで構築する構築手段の第１ないし第４無線ブロードキャスト送信ノードと、前記無線メッシュ通信手段に第１メッセージを無線送信し、且つ、前記構築手段の第１ないし第４無線ブロードキャスト送信ノードの何れか定めた１つから、第２メッセージを無線受信するブルートゥース（登録商標）端末手段のブルートゥース（登録商標）ノードと、を備えるシステムであって、前記構築手段の第１ないし第４無線ブロードキャスト送信ノードは、前記第２メッセージを前記ブルートゥース（登録商標）端末手段のブルートゥース（登録商標）ノードに無線送信するメッセージ無線送信手段を備えることを特徴とする。
【手続補正３】
【補正対象書類名】明細書
【補正対象項目名】０００４
【補正方法】変更
【補正の内容】
【０００４】
ところで、従来のスキャタネット方法は、ブルートゥース（登録商標）の無線ブロードキャスト送信手段を利用して構築のブルートゥース（登録商標）の無線メッシュ通信手段に第１メッセージを無線送信し、且つ、無線メッシュ通信手段の複数の目の構築手段の第１ないし第４無線ブロードキャスト送信ノードの何れか定めた１つから、第２メッセージを無線受信するブルートゥース（登録商標）端末手段のブルートゥース（登録商標）ノードを利用することができないと言った問題があった。
【手続補正４】
【補正対象書類名】明細書
【補正対象項目名】０００５
【補正方法】変更
【補正の内容】
【０００５】
そこで、本発明の目的は、ブルートゥース（登録商標）の無線ブロードキャスト送信手段を利用して構築のブルートゥース（登録商標）の無線メッシュ通信手段に第１メッセージを無線送信し、且つ、無線メッシュ通信手段の複数の目の構築手段の第１ないし第４無線ブロードキャスト送信ノードの何れか定めた１つから、第２メッセージを無線受信するブルートゥース（登録商標）端末手段のブルートゥース（登録商標）ノードを利用することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、ブルートゥース（登録商標）の無線ブロードキャスト送信手段を利用して構築のブルートゥース（登録商標）の無線メッシュ通信手段に第１メッセージを無線送信し、且つ、無線メッシュ通信手段の複数の目の構築手段の第１ないし第４無線ブロードキャスト送信ノードの何れか定めた１つから、第２メッセージを無線受信するブルートゥース（登録商標）端末手段のブルートゥース（登録商標）ノードを利用することができる。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
ブルートゥース（登録商標）のメッシュ状無線通信手段の複数の目の構築に要するブロードキャスト送信メッセージを無線送信する第１ないし第４無線ノードと、
前記ブロードキャスト送信メッセージを利用の前記第１ないし第４無線ノードから構成されて構築される前記複数の目を含む前記メッシュ状無線通信手段に、前記メッシュ状無線通信手段の目の非構築手段として参加する第５無線ノードと、を備え、
前記第１ないし第４無線ノード側は、ユニキャスト送信メッセージを、前記参加した前記第５無線ノードへ無線送信する第１手段を備え、
前記参加した前記第５無線ノードは、前記ユニキャスト送信メッセージを、前記第１ないし第４無線ノード側から無線受信する第２手段を備えるシステムに用いる、
前記第１ないし第５無線ノードの何れか１つであることを特徴とする無線ノード。
【請求項２】
ブルートゥース（登録商標）のメッシュ状無線通信手段の複数の目の構築に要するブロードキャスト送信メッセージを無線送信する第１ないし第４無線ノードと、
前記ブロードキャスト送信メッセージを利用の前記第１ないし第４無線ノードから構成されて構築される前記複数の目を含む前記メッシュ状無線通信手段に、前記メッシュ状無線通信手段の目の非構築手段として参加する第５無線ノードと、を利用し、
前記第１ないし第４無線ノード側は、ユニキャスト送信メッセージを前記参加した前記第５無線ノードへ無線送信し、
前記参加した前記第５無線ノードは、前記ユニキャスト送信メッセージを前記第１ないし第４無線ノード側から無線受信することを特徴とする方法。
【請求項３】
ブルートゥース（登録商標）のビーコン発信機およびビーコン受信機による近接通知（ビーコン）手段を構成する前記ビーコン発信機および前記ビーコン受信機を備え、
前記ビーコン発信機のマスタは、前記近接通知（ビーコン）手段の被搬送メッセージを前記マスタと未接続の前記ビーコン受信機向けにブロードキャスト送信する第１手段を備え、
前記マスタと未接続の前記ビーコン受信機は、前記被搬送メッセージを前記ビーコン受信機から無線受信する第２手段を備えるシステムに用いる、
前記ビーコン発信機または前記ビーコン受信機であることを特徴とする無線デバイス。
【請求項４】
請求項１または３に記載のシステムに用いる前記第１手段または前記第２手段を備えることを特徴とする集積回路。
【請求項５】
請求項１または３に記載のシステムに用いる前記第１手段または前記第２手段を備えることを特徴とするモジュール。
【請求項６】
プロセッサを、
請求項１または３に記載のシステムに用いる前記第１手段または前記第２手段として機能させるための制御プログラム。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）のメッシュ状無線通信手段の複数の目の構築に要するブロードキャスト送信メッセージを無線送信する第１ないし第４無線ノードと、前記ブロードキャスト送信メッセージを利用の前記第１ないし第４無線ノードから構成されて構築される前記複数の目を含む前記メッシュ状無線通信手段に、前記メッシュ状無線通信手段の目の非構築手段として参加する第５無線ノードと、を備え、前記第１ないし第４無線ノード側は、ユニキャスト送信メッセージを、前記参加した前記第５無線ノードへ無線送信する第１手段を備え、前記参加した前記第５無線ノードは、前記ユニキャスト送信メッセージを、前記第１ないし第４無線ノード側から無線受信する第２手段を備えることを特徴とする。
【手続補正３】
【補正対象書類名】明細書
【補正対象項目名】０００４
【補正方法】変更
【補正の内容】
【０００４】
ところで、従来のスキャタネット方法は、ブルートゥース（登録商標）のメッシュ状無線通信手段の複数の目の構築に要するブロードキャスト送信メッセージ（ビーコン）を無線送信する第１ないし第４無線ノードから構成されて構築される複数の目を含むメッシュ状無線通信手段に、メッシュ状無線通信手段の目の非構築手段の第５無線ノードを参加させることができないと言った問題があった。
また、ブルートゥース（登録商標）のビーコン発信機およびビーコン受信機による近接通知（ビーコン）手段を構成するビーコン発信機のマスタで、近接通知（ビーコン）手段の被搬送メッセージを、マスタと未接続のビーコン受信機向けにブロードキャスト送信させることができないと言った問題があった。
【手続補正４】
【補正対象書類名】明細書
【補正対象項目名】０００５
【補正方法】変更
【補正の内容】
【０００５】
そこで、本発明の目的は、ブルートゥース（登録商標）のメッシュ状無線通信手段の複数の目の構築に要するブロードキャスト送信メッセージ（ビーコン）を無線送信する第１ないし第４無線ノードから構成されて構築される複数の目を含むメッシュ状無線通信手段に、メッシュ状無線通信手段の目の非構築手段の第５無線ノードを参加させることができるシステムおよび方法を提供することにある。
また、ブルートゥース（登録商標）のビーコン発信機およびビーコン受信機による近接通知（ビーコン）手段を構成するビーコン発信機のマスタで、近接通知（ビーコン）手段の被搬送メッセージを、マスタと未接続のビーコン受信機向けにブロードキャスト送信させることができるシステムを提供することにある。
【手続補正５】
【補正対象書類名】明細書
【補正対象項目名】０００７
【補正方法】変更
【補正の内容】
【０００７】
本発明によれば、システムおよび方法は、ブルートゥース（登録商標）のメッシュ状無線通信手段の複数の目の構築に要するブロードキャスト送信メッセージ（ビーコン）を無線送信する第１ないし第４無線ノードから構成されて構築される複数の目を含むメッシュ状無線通信手段に、メッシュ状無線通信手段の目の非構築手段の第５無線ノードを参加させることができる。
システムは、ブルートゥース（登録商標）のビーコン発信機およびビーコン受信機による近接通知（ビーコン）手段を構成するビーコン発信機のマスタで、近接通知（ビーコン）手段の被搬送メッセージを、マスタと未接続のビーコン受信機向けにブロードキャスト送信させることができる。
【手続補正書】
【提出日】平成30年9月2日(2018.9.2)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線通信プロトコルを有し、前記ブルートゥース（登録商標）の無線メッシュネットワークを構成する無線ノードを、４つ利用して構築される前記無線メッシュネットワークに含まれる２つの目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、
前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、
前記無線メッシュネットワークと、を備えるシステムであって、
前記メッシュ状無線中継手段の前記第１ないし第４無線ノードは、前記参加した前記第５無線ノードへのユニキャスト送信メッセージを、前記参加した前記第５無線ノードへ直接無線送信する第１手段を備え、
前記第５無線ノードは、前記ユニキャスト送信メッセージを、前記メッシュ状無線中継手段の前記第１手段を有する前記第１ないし第４無線ノードの何れか定めた１つから直接無線受信する第２手段を備えることを特徴とするシステム。
【請求項２】
ブルートゥース（登録商標）の無線通信プロトコルを有し、前記ブルートゥース（登録商標）の無線メッシュネットワークを構成する無線ノードを、４つ利用して構築される前記無線メッシュネットワークに含まれる２つの目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、
前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、
前記無線メッシュネットワークと、を利用する方法であって、
前記メッシュ状無線中継手段の前記第１ないし第４無線ノードは、前記参加した前記第５無線ノードへのユニキャスト送信メッセージを、前記参加した前記第５無線ノードへ直接無線送信する第１過程を含み、
前記第５無線ノードは、前記ユニキャスト送信メッセージを、前記メッシュ状無線中継手段の前記第１過程を含む前記第１ないし第４無線ノードの何れか定めた１つから直接無線受信する第２過程を含むことを特徴とする方法。
【請求項３】
請求項１に記載のシステムに用いる前記第１手段または前記第２手段を備えることを特徴とする集積回路。
【請求項４】
請求項１に記載のシステムに用いる前記第１手段または前記第２手段を備えることを特徴とするモジュール。
【請求項５】
プロセッサを、
請求項１に記載のシステムに用いる前記第１手段または前記第２手段として機能させるための制御プログラム。
【請求項６】
請求項１に記載のシステムに用いる前記第１ないし第５無線ノードの何れか１つであることを特徴とする無線ノード。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）の無線通信プロトコルを有し、前記ブルートゥース（登録商標）の無線メッシュネットワークを構成する無線ノードを、４つ利用して構築される前記無線メッシュネットワークに含まれる２つの目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、前記無線メッシュネットワークと、を備えるシステムであって、前記メッシュ状無線中継手段の前記第１ないし第４無線ノードは、前記参加した前記第５無線ノードへのユニキャスト送信メッセージを、前記参加した前記第５無線ノードへ直接無線送信する第１手段を備え、前記第５無線ノードは、前記ユニキャスト送信メッセージを、前記メッシュ状無線中継手段の前記第１手段を有する前記第１ないし第４無線ノードの何れか定めた１つから直接無線受信する第２手段を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４無線ノードの無線ブロードキャスト送受信手段を利用して構築される２つの目が隣接するメッシュ状無線中継手段を含むブルートゥース（登録商標）の無線メッシュネットワークに、無線メッシュネットワークの目の非構築手段として非中継手段の第５無線ノードを参加させることができないと言った問題があった。
【手続補正４】
【補正対象書類名】明細書
【補正対象項目名】０００５
【補正方法】変更
【補正の内容】
【０００５】
そこで、本発明の目的は、第１ないし第４無線ノードの無線ブロードキャスト送受信手段を利用して構築される２つの目が隣接するメッシュ状無線中継手段を含むブルートゥース（登録商標）の無線メッシュネットワークに、無線メッシュネットワークの目の非構築手段として非中継手段の第５無線ノードを参加させることができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、第１ないし第４無線ノードの無線ブロードキャスト送受信手段を利用して構築される２つの目が隣接するメッシュ状無線中継手段を含むブルートゥース（登録商標）の無線メッシュネットワークに、無線メッシュネットワークの目の非構築手段として非中継手段の第５無線ノードを参加させることができる。
【手続補正書】
【提出日】平成30年9月2日(2018.9.2)
【手続補正１】
【補正対象書類名】特許請求の範囲
【補正対象項目名】全文
【補正方法】変更
【補正の内容】
【特許請求の範囲】
【請求項１】
目が隣接するブルートゥース（登録商標）の無線メッシュネットワークを構成する無線ノードを、４つ利用して構築される前記無線メッシュネットワークに含まれる２つの前記目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、
前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、
前記無線メッシュネットワークと、を備えるシステムであって、
前記メッシュ状無線中継手段の前記第１ないし第４無線ノードは、前記参加した前記第５無線ノードへのユニキャスト送信メッセージを、前記参加した前記第５無線ノードへ直接無線送信する第１手段を備え、
前記第５無線ノードは、前記ユニキャスト送信メッセージを、前記メッシュ状無線中継手段の前記第１手段を有する前記第１ないし第４無線ノードの何れか定めた１つから直接無線受信する第２手段を備えることを特徴とするシステム。
【請求項２】
目が隣接するブルートゥース（登録商標）の無線メッシュネットワークを構成する無線ノードを、４つ利用して構築される前記無線メッシュネットワークに含まれる２つの前記目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、
前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、
前記無線メッシュネットワークと、を利用する方法であって、
前記メッシュ状無線中継手段の前記第１ないし第４無線ノードは、前記参加した前記第５無線ノードへのユニキャスト送信メッセージを、前記参加した前記第５無線ノードへ直接無線送信する第１過程を含み、
前記第５無線ノードは、前記ユニキャスト送信メッセージを、前記メッシュ状無線中継手段の前記第１過程を含む前記第１ないし第４無線ノードの何れか定めた１つから直接無線受信する第２過程を含むことを特徴とする方法。
【請求項３】
請求項１に記載のシステムに用いる前記第１手段または前記第２手段を備えることを特徴とする集積回路。
【請求項４】
請求項１に記載のシステムに用いる前記第１手段または前記第２手段を備えることを特徴とするモジュール。
【請求項５】
プロセッサを、
請求項１に記載のシステムに用いる前記第１手段または前記第２手段として機能させるための制御プログラム。
【請求項６】
請求項１に記載のシステムに用いる前記第１ないし第５無線ノードの何れか１つであることを特徴とする無線ノード。
【手続補正２】
【補正対象書類名】明細書
【補正対象項目名】０００６
【補正方法】変更
【補正の内容】
【０００６】
上記課題を解決するため本発明のシステムは、目が隣接するブルートゥース（登録商標）の無線メッシュネットワークを構成する無線ノードを、４つ利用して構築される前記無線メッシュネットワークに含まれる２つの前記目が隣接するメッシュ状無線中継手段を構成しようとする前記無線ノードへ向けた前記メッシュ状無線中継手段の構築に要する被搬送メッセージの無線ブロードキャスト送受信手段を有する前記無線ノードを構成し、前記無線ブロードキャスト送受信手段を利用して前記メッシュ状無線中継手段を構築する第１ないし第４無線ノードと、前記第１ないし第４無線ノードの前記無線ブロードキャスト送受信手段を利用して構築される前記メッシュ状無線中継手段を含んだ前記無線メッシュネットワークに、前記無線メッシュネットワークの目の非構築手段として参加する非中継手段の第５無線ノードと、前記無線メッシュネットワークと、を備えるシステムであって、前記メッシュ状無線中継手段の前記第１ないし第４無線ノードは、前記参加した前記第５無線ノードへのユニキャスト送信メッセージを、前記参加した前記第５無線ノードへ直接無線送信する第１手段を備え、前記第５無線ノードは、前記ユニキャスト送信メッセージを、前記メッシュ状無線中継手段の前記第１手段を有する前記第１ないし第４無線ノードの何れか定めた１つから直接無線受信する第２手段を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４無線ノードの無線ブロードキャスト送受信手段を利用して構築される２つの目が隣接するメッシュ状無線中継手段を含む目が隣接するブルートゥース（登録商標）の無線メッシュネットワークに、無線メッシュネットワークの目の非構築手段として非中継手段の第５無線ノードを参加させることができないと言った問題があった。
【手続補正４】
【補正対象書類名】明細書
【補正対象項目名】０００５
【補正方法】変更
【補正の内容】
【０００５】
そこで、本発明の目的は、第１ないし第４無線ノードの無線ブロードキャスト送受信手段を利用して構築される２つの目が隣接するメッシュ状無線中継手段を含む目が隣接するブルートゥース（登録商標）の無線メッシュネットワークに、無線メッシュネットワークの目の非構築手段として非中継手段の第５無線ノードを参加させることができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、第１ないし第４無線ノードの無線ブロードキャスト送受信手段を利用して構築される２つの目が隣接するメッシュ状無線中継手段を含む目が隣接するブルートゥース（登録商標）の無線メッシュネットワークに、無線メッシュネットワークの目の非構築手段として非中継手段の第５無線ノードを参加させることができる。